(57)【特許請求の範囲】
【請求項１】
装置本体に固定のシャーシと、モータの駆動により複数のギアを介して前記シャーシに対して所定方向に昇降可能なトラバースメカと、光ピックアップを有するとともに前記トラバースメカに設けられて前記モータの駆動により前記トラバースメカの昇降方向に略直交する方向に移動可能なピックアップユニットとを有し、
前記トラバースメカの昇降の方向及び前記ピックアップユニットの移動方向に対して略直交する方向に移動できるように前記シャーシに設けられたカムスライダーと、前記カムスライダーとのカム係合により前記トラバースメカを昇降させるように前記トラバースメカに設けられたシフトレバーとを備えたディスク装置であって、
ディスクを搬送するトレイと、そのラック部に噛合して該トレイを駆動するトレイギアを設け、ディスクを載置したトレイを前記装置本体内に移動させ、該装置本体内に設けたクランパーと前記トラバースメカに設けたターンテーブルとの間に前記ディスクをクランプして、該ディスクに対して前記光ピックアップにより記録或いは再生を行うディスク装置において、
前記モータの駆動により前記ピックアップユニットを移動させるラック部材と、前記モータの駆動力を伝達する伝達手段と、を有し、
前記伝達手段は前記トレイギアと噛み合うギアを有し、
前記トレイギアは、前記伝達手段の前記ギアと噛み合う歯車部と、前記伝達手段の前記ギアを空転させる欠歯部とを有し、
前記カムスライダーの下面には突設部が設けられるとともに、前記トレイギアの上面には前記突設部と係合する係合部が設けられ、
トレイオープン動作時には、前記ラック部材先端で前記トレイギア外周が押圧されてこれが一時的に回転することにより、前記トレイギアの上面に設けられた前記係合部が前記カムスライダーの下面の前記突設部を押し出し、前記カムスライダーが移動して、前記トレイギアと前記カムスライダーのラック部とが噛み合いを開始するとともに、前記トレイギアの前記歯車部と前記伝達手段の前記ギアとが噛み合いを開始して、前記トレイギアが前記モータの駆動に連動して回転開始するようにしてなり、前記トレイギアの回転により前記カムスライダーが移動するときに、該カムスライダーにより前記ラック部材を引き込みつつ保持するようにしてなり、前記カムスライダーの移動により前記トラバースメカが下降するときに、前記カムスライダーに代わって前記シャーシにより前記ラック部材を保持するようにしてなり、前記トラバースメカの下降が完了すると、前記カムスライダーにより前記トレイが押し出され、前記トレイギアと前記トレイのラック部とが噛み合いを開始するようにしてなることを特徴とするディスク装置。
【請求項２】
装置本体に固定のシャーシと、モータの駆動により複数のギアを介して前記シャーシに対して所定方向に昇降可能なトラバースメカと、光ピックアップを有するとともに前記トラバースメカに設けられて前記モータの駆動により前記トラバースメカの昇降方向に略直交する方向に移動可能なピックアップユニットとを有し、
前記トラバースメカの昇降の方向及び前記ピックアップユニットの移動方向に対して略直交する方向に移動できるように前記シャーシに設けられたカムスライダーと、前記カムスライダーとのカム係合により前記トラバースメカを昇降させるように前記トラバースメカに設けられたシフトレバーとを備えたディスク装置であって、
ディスクを搬送するトレイと、そのラック部に噛合して該トレイを駆動するトレイギアを設け、ディスクを載置したトレイを前記装置本体内に移動させ、該装置本体内に設けたクランパーと前記トラバースメカに設けたターンテーブルとの間に前記ディスクをクランプして、該ディスクに対して前記光ピックアップにより記録或いは再生を行うディスク装置において、
前記モータの駆動により前記ピックアップユニットを移動させるラック部材と、前記モータの駆動力を伝達する伝達手段と、を有し、
前記伝達手段は前記トレイギアと噛み合うギアを有し、
前記トレイギアは、前記伝達手段の前記ギアと噛み合う歯車部と、前記伝達手段の前記ギアを空転させる欠歯部とを有し、
前記カムスライダーの下面には突設部が設けられるとともに、前記トレイギアの上面には前記突設部と係合する係合部が設けられ、
トレイオープン動作時には、前記ラック部材先端で前記トレイギア外周が押圧されてこれが一時的に回転することにより、前記トレイギアの上面に設けられた前記係合部が前記カムスライダーの下面の前記突設部を押し出し、前記カムスライダーが移動して、前記トレイギアと前記カムスライダーのラック部とが噛み合いを開始するとともに、前記トレイギアの前記歯車部と前記伝達手段の前記ギアとが噛み合いを開始して、前記トレイギアが前記モータの駆動に連動して回転開始するようにしてなることを特徴とするディスク装置。
【請求項３】
前記トレイギアの回転により前記カムスライダーが移動するときに、該カムスライダーにより前記ラック部材を引き込みつつ保持するようにしてなることを特徴とする請求項２に記載のディスク装置。
【請求項４】
前記カムスライダーの移動により前記トラバースメカが下降するときに、前記カムスライダーに代わって前記シャーシにより前記ラック部材を保持するようにしてなることを特徴とする請求項３に記載のディスク装置。
【発明の詳細な説明】
【技術分野】
【０００１】
本発明は、ＣＤ，ＤＶＤ等のディスクに対して記録或いは再生を行うディスク装置に関
するものであり、特に、駆動力の伝達及び切り換えを行う機構に関するものである。
【背景技術】
【０００２】
従来より、ディスク装置として、ディスクを載置したディスクトレイを本体内に移動さ
せ、本体内に設けたディスクホルダ（クランパー）とターンテーブルとの間にディスクを
クランプして、ディスクに対して記録或いは再生を行うようにしたものが知られている。
さらに近年、駆動力の伝達及び切り換えを行う機構の改善を図ったものが、種々提案され
てきている。
【０００３】
例えば、簡素な構成でありながら、フィードモータによって光ディスクのクランプ動作
及びトレイ開閉動作の駆動を行えるようにしたトレイ駆動機構が、特許文献１に開示され
ている。具体的には、光ディスクのクランプ動作に必要とされるラック部材、プレート部
材及びカムスライダーを用いることにより、トレイ開閉時にフィードモータの出力をトレ
イに伝達するように構成しており、新たな部品を追加することなく、フィードモータによ
って光ディスクのクランプ駆動及びトレイ開閉駆動が行え、光ディスク装置の製造コスト
の低減を図ることができるとしている。
【０００４】
また、光ピックアップを光ディスクの内周側に大きく移動させることなく、ピックアッ
プ送り動作とターンテーブル昇降動作とを切り換えるようにした光ディスク装置が、特許
文献２に開示されている。具体的には、光ピックアップとは独立した動作によって、ピッ
クアップ駆動動作とターンテーブル昇降動作の切り換えを行うことにより、その切り換え
動作中に光ピックアップを光ディスクのさらに内周側に移動させる必要がないようにした
構成としている。そしてこれにより、光ピックアップと回転駆動機構との干渉を避けつつ
、同じ兼用駆動源を用いてピックアップ送り動作とターンテーブル昇降動作とを行うこと
ができるとしている。
【特許文献１】特開２００４−２８８３３３号公報
【特許文献２】特開２００４−２５３１３０号公報
【発明の開示】
【発明が解決しようとする課題】
【０００５】
しかしながら、上記各特許文献に記載の構成はいずれも、ラック部材の先端に設けたボ
スによりスライド部材を移動させ、駆動力の伝達を行う構造となっており、その際摩擦等
の影響で、スライド部材をスムーズに移動させることができなくなることがあり、ラック
部材を駆動するギアとラックとの間に無理な力が掛かって、歯蹴り音が発生する等の不具
合をもたらすおそれがあった。
【０００６】
本発明は、上記のような問題点に鑑み、簡単な構成で、ピックアップ駆動動作及びトラ
バースメカ駆動動作、並びにトレイ開閉動作を同一のモータで行い、駆動力伝達の切り換
えをスムーズに行うことが可能な、ディスク装置を提供することを目的とする。
【課題を解決するための手段】
【０００７】
上記目的を達成するために、本発明では、装置本体に固定のシャーシと、モータの駆動
により複数のギアを介して前記シャーシに対して所定方向に昇降可能なトラバースメカと
、光ピックアップを有するとともに前記トラバースメカに設けられて前記モータの駆動に
より前記トラバースメカの昇降方向に略直交する方向に移動可能なピックアップユニット
とを有し、前記トラバースメカの昇降の方向及び前記ピックアップユニットの移動方向に
対して略直交する方向に移動できるように前記シャーシに設けられたカムスライダーと、
前記カムスライダーとのカム係合により前記トラバースメカを昇降させるように前記トラ
バースメカに設けられたシフトレバーとを備えたディスク装置であって、ディスクを搬送
するトレイと、そのラック部に噛合して該トレイを駆動するトレイギアを設け、ディスク
を載置したトレイを前記装置本体内に移動させ、該装置本体内に設けたクランパーと前記
トラバースメカに設けたターンテーブルとの間に前記ディスクをクランプして、該ディス
クに対して前記光ピックアップにより記録或いは再生を行うディスク装置において、前記
モータの駆動により前記ピックアップユニットを移動させるラック部材を有し、トレイオ
ープン動作時には、該ラック部材先端で前記トレイギア外周が押圧されてこれが一時的に
回転することにより、該トレイギアと前記カムスライダーのラック部とが噛み合いを開始
するとともに、前記トレイギアが前記モータの駆動に連動して回転開始するようにしてな
ることを特徴とする。
【０００８】
また、前記トレイギアの回転により前記カムスライダーが移動するときに、該カムスラ
イダーにより前記ラック部材を引き込みつつ保持するようにしてなることを特徴とする。
さらに、前記カムスライダーの移動により前記トラバースメカが下降するときに、前記カ
ムスライダーに代わって前記シャーシにより前記ラック部材を保持するようにしてなるこ
とを特徴とする。
【発明の効果】
【０００９】
本発明によれば、簡単な構成で、ピックアップ駆動動作及びトラバースメカ駆動動作、
並びにトレイ開閉動作を同一のモータで行い、駆動力伝達の切り換えをスムーズに行うこ
とが可能な、ディスク装置を提供することができる。
【００１０】
具体的には、サブラック，カムスライダーといった既存部品を利用することにより、従
来のように別途スライド部材を用いることなく、駆動力伝達の切り換えを行うことが可能
となっている。また、本発明の各動作中においてギアを蹴る動作をすることがないため、
歯蹴り音の発生も防止される。
【発明を実施するための最良の形態】
【００１１】
以下、本発明の実施の形態について、図面を参照しながら説明する。
【実施例１】
【００１２】
図１は、本発明の実施例１に係るディスク装置のディスクローダーを示す図であり、ま
た図２は、同じディスク装置の主としてトラバースメカを示す図であって、それぞれ平面
図としている。このディスク装置は、ディスクを搬送するトレイ（不図示）と、トレイの
搬送方向（前後方向）に略垂直な方向に旋回して昇降可能なトラバースメカ２とがローダ
ーシャーシ１に設けられている。なお、ローダーシャーシ１は図示しない装置本体に固定
されている。
【００１３】
トラバースメカ２にはディスクの記録または再生を行う光ピックアップを有したピック
アップユニット３と、ピックアップユニット３をディスクの径方向に移動させるモータ４
とが設けられている。モータ４には複数の平ギヤから成る伝達手段５が取り付けられてお
り、モータ４の駆動力を減速して伝達する。伝達手段５がピックアップユニット３に形成
されたラック（不図示）と噛合することにより、モータ４によってピックアップユニット
３が移動できるようになっている。
【００１４】
また、伝達手段５は前方のトレイギア８と噛合し、トレイギア８はトラバースメカ２の
前方でローダーシャーシ１側に配されたカムスライダー６と噛合可能になっている。カム
スライダー６は、トラバースメカ２の前部に設けられたシフトレバー７とカム係合し、ト
レイの搬送方向（前後方向）及びトラバースメカ２の昇降方向と略直交する方向（左右方
向）に移動できる。これにより、トラバースメカ２が昇降する。更に、トレイギア８はト
レイに形成されたラックと噛合可能になっており、所定の時期にトレイギア８とトレイと
が連結して、モータ４の駆動力がトレイに伝達されるようになっている。
【００１５】
上記構成のディスク装置において、トレイにディスクが載置されると、モータ４の駆動
によりトレイがディスクローダー内に搬送される。トレイが所定位置に配されると、トレ
イとトレイギア８との連結が解除され、カムスライダー６とトレイギア８とが連結される
。カムスライダー６はトレイの搬送方向に垂直な方向（左右方向）に移動し、トラバース
メカ２を上昇させる。これにより、トラバースメカ２がディスクに係合してディスクがチ
ャックされる。
【００１６】
ディスクのチャック部を具体的に説明すると、ローダーシャーシ１の上側に左右方向に
渡って略長板状のクランパーホルダー９が架設されており、その中央には略円板状のクラ
ンパー１０が回転自在に設けられている。一方、図示しないスピンドルモータにより回転
駆動されるターンテーブル１１が、トラバースメカ２から上方に突設している。上述した
ディスクのチャック時には、トラバースメカ２が上昇することによりディスクの中心孔が
ターンテーブル１１に嵌合し、更にトラバースメカ２が上昇することによりディスクがタ
ーンテーブル１１とクランパー１０との間に挟み込まれる。
【００１７】
ディスクがチャックされると、トレイギア８とカムスライダー６との連結が解除され、
伝達手段５はピックアップユニット３と連結される。これにより、ピックアップユニット
３がディスクの径方向へ移動可能になり、ディスクの所定位置で記録または再生を行うこ
とができる。また、ディスクを取り出す際には上記と逆の動作が行われる。以下に、駆動
力伝達の切り換え構造について説明する。
【００１８】
図３は、本実施例のディスクローダーのうち、ピックアップユニット駆動部分を示す図
であり、図４はその要部拡大図であって、それぞれ下面図で示している。ピックアップユ
ニット３には、伝達手段５後部のフィード用ギア５ｂと噛み合うラック組立Ｒが取り付け
られており、図１，図２に示したように、ガイドシャフト１５によってガイドされ、上記
モータ４により駆動されるフィード用ギア５ｂにより、ディスクの径方向に駆動される。
【００１９】
具体的に述べると、フィード用ギア５ｂは、同軸に配置された大径歯車部５ｂａと小径
歯車部５ｂｂとからなり、大径歯車部５ｂａがモータ４の回転軸に取り付けられた図示し
ない駆動ギアと噛み合って回転駆動され、これに連動して回転する小径歯車部５ｂｂがラ
ック組立Ｒと噛み合ってこれを駆動する。
【００２０】
ラック組立Ｒはメインラック１６及びサブラック１７よりなり、メインラック１６はピ
ックアップユニット３に固定され、サブラック１７はメインラック１６に対してスライド
自在に装着されている。サブラック１７はメインラック１６と重なり合ってフィード用ギ
ア５ｂと噛み合う上記ラック組立Ｒを形成し、このサブラック１７及びメインラック１６
によってダブルラックが構成される。
【００２１】
また、サブラック１７は、一端がメインラック１６に他端がこのサブラック１７にそれ
ぞれ当接するコイルバネ（後述）によって、メインラック１６に対してディスクの外周方
向に付勢される。これにより、フィード用ギア５ｂとサブラック１７及びメインラック１
６との噛み合わせのガタを少なくすることができ、ピックアップユニット３を正確に移動
させることができる。
【００２２】
さて、上述したディスクの再生／記録動作が終了すると、フィード用ギア５ｂが回転し
、これによりピックアップユニット３及びラック組立Ｒが内周方向に駆動され、内周停止
位置となる。トレイオープン動作が開始されると、フィード用ギア５ｂは更に回転し、こ
れによりピックアップユニット３及びラック組立Ｒが更に内周方向に駆動されて、図３，
図４に示したような最内周位置となる。
【００２３】
この位置では、メインラック１６とフィード用ギア５ｂとの噛み合わせが解除され、サ
ブラック１７のみフィード用ギア５ｂと噛み合っている状態となる。サブラック１７は、
フィード用ギア５ｂによって更に駆動され、図５に平面図で示すように、サブラック１７
先端の右側面に設けた歯１７ａが、トレイギア８外周面の一個所に設けた突起Ｐを押圧す
る。これにより、トレイギア８が一時的に若干回転し、図６に平面図で示すように、トレ
イギア８の大径歯車部８ａ上面に設けたカム溝Ｃが、これに係合していたカムスライダー
６下面より突設するボス６ｇを若干押し出すので、カムスライダー６が図の左側へと少し
スライドする。
【００２４】
このとき、大径歯車部８ａの上側に同心円状に配設された小径歯車部８ｂに、カムスラ
イダー６のラック部６ｆが噛み合い始める。また、それまで大径歯車部８ａの欠歯部８ａ
ａに対向していたため空転していた上記伝達手段５前部の平ギヤ５ａが、上述したトレイ
ギア８の若干の回転によりその大径歯車部８ａの歯と噛み合い始める。なお、図７は図６
の要部拡大図である。
【００２５】
続いて、平ギヤ５ａによりトレイギア８が回転駆動されると、図８に平面図で示すよう
に、カムスライダー６が図の左側へと更にスライドし、下面に設けたリブ６ｈにより、サ
ブラック１７先端の上面に設けたボス１７ｂを装置前方へと引き込みつつ保持する。この
とき、図１０に下面図で示すように、フィード用ギア５ｂとサブラック１７の噛み合いが
外れる。なお、同図には上述したコイルバネ１８がラック組立Ｒ内に描かれている。また
、図９は図８の要部拡大図であり、図１１は図１０の要部拡大図である。
【００２６】
ここで図１２は、カムスライダー６の外観図であり、同図（ａ）は下面図、同図（ｂ）
は背面図、同図（ｃ）は平面図、同図（ｄ）は正面図である。なお、側面図は図示を省略
している。同図（ａ）に示すように、カムスライダー６の下面には、上記大径歯車部８ａ
上面に設けたカム溝Ｃに係合するボス６ｇが突設している。また、上記サブラック１７先
端の上面に設けたボス１７ｂを保持するリブ６ｈが設けられている。また、同図（ｂ）に
示すように、トラバースメカ２昇降用のカム溝６ｄ，６ｅが設けてあり、それぞれシフト
レバー７のボス７ａ，７ｂと係合する。
【００２７】
カム溝６ｄは、同図（ｄ）より分かるように、貫通孔となっており、一方、カム溝６ｅ
は有底のものとなっている。さらに、同図（ｃ）に示すように、カムスライダー６の上面
左右端には、トレイ１４の下面に設けた後述する溝リブ１４ｄと係合する、ボス６ｉが設
けられている。なお、６ｆはトレイギア８と噛合するラック部である。また、カムスライ
ダー６の左右端より下側に突設する側面視略Ｌ字状の係合部６ａ，６ｂは、上記ローダー
シャーシ１前部の左右に連設されるスリット１ａ，１ｂにそれぞれスライド可能に係合す
る。
【００２８】
さて、上記図８の状態から、カムスライダー６が更にスライドすると、カムスライダー
６に設けたカム溝６ｄ，６ｅの斜面に沿ってトラバースメカ２が下降し、それまでサブラ
ック１７のボス１７ｂをカムスライダー６のリブ６ｈにより保持していた状態が、図１３
に平面図で示すように、サブラック１７先端の左側面に設けたボス１７ｃをローダーシャ
ーシ１に設けた縦リブ１ｆにより保持する状態へと引き継がれる。なお、図１４は図１３
の右側面断面図である。
【００２９】
トラバースメカ２の下降が完了すると、図１５に示すように、カムスライダー６の上面
に設けたボス６ｉが、トレイ１４の下面に設けた溝リブ１４ｄの斜面に沿って、トレイ１
４を前方に少し押し出す。これにより、トレイギア８の小径歯車部８ｂとトレイ１４の下
面に設けたラック部１４ａが噛み合い始める。引き続き、トレイギア８の回転により、ラ
ック部１４ａが駆動されてトレイ１４が前方へと押し出される。このとき既にボス６ｉは
溝リブ１４ｄから離れており、また小径歯車部８ｂとラック部６ｆとの噛み合いも離れて
いる。
【００３０】
なお図１６は、トレイの下面図である。同図に示すように、このトレイ１４は、下面右
側（図では左側の位置）の後部から前方にかけて、上記トレイギア８と噛合するラック部
１４ａを有している。また、トレイ１４の前部左右の個所には、上記カムスライダー６に
設けたボス６ｉと係合する溝リブ１４ｄが設けられている。溝リブ１４ｄは、左右方向に
延びる部分と斜め方向に延びる部分とを有している。そして、左右方向に延びる部分にボ
ス６ｉが係合しているときは、ローダーシャーシ１内にトレイ１４が保持され、斜め方向
に延びる部分にボス６ｉが係合しているときは、カムスライダー６の左右方向のスライド
により、トレイ１４が前後方向に若干駆動される。
【００３１】
また、ラック部１４ａとは反対側にある溝リブ１４ｄの後端部より後方に向かって、リ
ブ１４ｅがトレイ１４後端まで延びている。トレイギア８の回転によりトレイ１４が前方
へと押し出される際には、このリブ１４ｅに一方のボス６ｉが摺動することにより、トレ
イ１４がガイドされつつ安定して駆動され、またラック部１４ａとトレイギア８の小径歯
車部８ｂとの噛み合い外れが防止される。
【００３２】
以上説明したように、本発明によれば、サブラック，カムスライダーといった既存部品
を利用することにより、従来のように別途スライド部材を用いることなく、駆動力伝達の
切り換えを行うことが可能となっている。また、本発明の各動作中においてギアを蹴る動
作をすることがないため、歯蹴り音の発生も防止される。
【図面の簡単な説明】
【００３３】
【図１】本発明の実施例１に係るディスク装置のディスクローダーを示す図。
【図２】ディスク装置の主としてトラバースメカを示す図。
【図３】ピックアップユニット駆動部分を示す図。
【図４】図３の要部拡大図。
【図５】サブラック先端の歯がトレイギア外周面の突起を押圧する様子を示す図。
【図６】トレイギアに設けたカム溝がカムスライダーのボスを押し出す様子を示す図。
【図７】図６の要部拡大図。
【図８】カムスライダーのリブによりサブラック先端のボスを保持する様子を示す図。
【図９】図８の要部拡大図。
【図１０】フィード用ギアとサブラックの噛み合いが外れた様子を示す図。
【図１１】図１０の要部拡大図。
【図１２】カムスライダーの外観図。
【図１３】サブラック先端のボスをシャーシの縦リブにより保持する状態を示す図。
【図１４】図１３の右側面断面図。
【図１５】カムスライダーのボスが溝リブの斜面に沿ってトレイを押す様子を示す図。
【図１６】トレイの下面図。
【符号の説明】
【００３４】
１    ローダーシャーシ
２    トラバースメカ
３    ピックアップユニット
４    モータ
５    伝達手段
６    カムスライダー
７    シフトレバー
８    トレイギア
９    クランパーホルダー
１０    クランパー
１１    ターンテーブル
１４    トレイ
１５    ガイドシャフト
１６    メインラック
１７    サブラック
１８    コイルバネ
【図１】
0004735089.tif 000002
【図２】
0004735089.tif 000003
【図３】
0004735089.tif 000004
【図４】
0004735089.tif 000005
【図５】
0004735089.tif 000006
【図６】
0004735089.tif 000007
【図７】
0004735089.tif 000008
【図８】
0004735089.tif 000009
【図９】
0004735089.tif 000010
【図１０】
0004735089.tif 000011
【図１１】
0004735089.tif 000012
【図１２】
0004735089.tif 000013
【図１３】
0004735089.tif 000014
【図１４】
0004735089.tif 000015
【図１５】
0004735089.tif 000016
【図１６】
0004735089.tif 000017